(57)【特許請求の範囲】
【請求項１】
左右の手で挟んで保持可能な本体部の裏側に、操作キー等の操作部が配列された左手指用操作部群と右手指用操作部群とを配置し、
前記本体部の表側に、前記操作部に対応する表示部が配列された左手指用表示部群と右手指用表示部群とを配置し、
前記操作部を手指により操作したときに、該操作部に対応する前記表示部が該操作部の操作を表示するようにした携帯型入力ディバイスにおいて、
前記本体部の表側に表示パネルを備え、
該表示パネルは選択スイッチの操作により前記左手指用表示部群及び前記右手指用表示部群と他の通信画像等の画像とを選択的に表示可能である
ことを特徴とする携帯型入力ディバイス。
【請求項２】
前記本体部は前記左手指用表示部群及び前記右手指用表示部群を構成するタッチパネルを備えた
ことを特徴とする請求項１に記載の携帯型入力ディバイス。
【請求項３】
第１本体部と、該第１本体部にヒンジにより開閉自在に枢着された第２本体部とを備え、
前記第１本体部の裏側に前記左手指用表示部群及び前記右手指用表示部群を備え、
開状態の前記第２本体部の表側に前記表示パネルを備えた
ことを特徴とする請求項１又は２に記載の携帯型入力ディバイス。
【請求項４】
親指で操作可能な操作部を前記第１本体部の表側に備えた
ことを特徴とする請求項３に記載の携帯型入力ディバイス。
【発明の詳細な説明】
【技術分野】
【０００１】
本発明は、携帯型キーボード等の携帯型入力ディバイスに関し、本体部の裏側に配列された操作部を操作したときに、本体部の表側に対応して配列された表示部がその操作を表示するようにしたものである。
【背景技術】
【０００２】
両手で本体部を保持して左右の手指により操作キー等の操作部を操作しながらデータを入力できるようにした携帯型キーボード等の携帯型入力ディバイスが提案されている。この携帯型入力ディバイスには、本体部の表側に操作部を配列した表操作式（特許文献１）と、本体部の裏側に操作部を配列した裏操作式（特許文献２）とがある。
【０００３】
表操作式は本体部の表側に左親指用操作部群と右親指用操作部群とを配置して、左親指用操作部群の各操作部を左親指により、右親指用操作部群の各操作部を右親指により夫々操作するようになっている。
【０００４】
また裏操作式は本体部の裏側の左右に左手指用操作部群と右手指用操作部群とを配置し、本体部の表側に各操作部群の操作部の位置を示す位置指示部を配置すると共に、本体部を光透過性を有する筐体により構成して、左右の人指し指から小指までの４本の手指により本体部の裏側の各操作部群の操作部を操作できるようにする一方、本体部の裏側での手指の動きを筐体を介して表側から透視できるようになっている。
【先行技術文献】
【特許文献】
【０００５】
【特許文献１】特開２００１−１７５３９２号公報
【特許文献２】特開２００９−２３０７３４号公報
【発明の概要】
【発明が解決しようとする課題】
【０００６】
表操作式は本体部の表側の操作部を操作すればよいので、熟れない操作者でも比較的容易に入力できるが、左右の両手の親指による操作であるため、入力速度に限界があり高速で入力できない欠点がある。これに対して裏操作式は左右の両手の４本の手指で操作部を操作するため、表操作式に比較して入力速度を格段に速くできる利点がある。
【０００７】
しかし、従来の裏操作式は、本体部の裏側での手指の動きを筐体を介して表側から透視できるとは云え、熟れない操作者の場合には、その確認が非常に困難で操作し辛い難点がある。即ち、本体部の裏側の各操作部群には、多数の操作部が上下、左右方向に近接して配置されているため、その操作部間の僅かな隙間から筐体を介して裏側の手指の動きを確実に把握することは困難である。また各操作部間の僅かな隙間を経て裏側の手指を透視できたとしても、その指先周辺に多数の操作部があるため、筐体を介しての透視により、そのときに操作された操作部を特定するのは困難である。
【０００８】
本発明は、このような従来の裏操作式の問題点に鑑み、裏側の操作部の操作を表側から容易且つ確実に把握でき、熟れない操作者でも容易に操作しながら練習できる携帯型入力ディバイスを提供することを目的とする。
【課題を解決するための手段】
【０００９】
本発明は、左右の手で挟んで保持可能な本体部の裏側に、操作キー等の操作部が配列された左手指用操作部群と右手指用操作部群とを配置し、前記本体部の表側に、前記操作部に対応する表示部が配列された左手指用表示部群と右手指用表示部群とを配置し、前記操作部を手指により操作したときに、該操作部に対応する前記表示部が該操作部の操作を表示するようにした携帯型入力ディバイスにおいて、前記本体部の表側に表示パネルを備え、該表示パネルは選択スイッチの操作により前記左手指用表示部群及び前記右手指用表示部群と他の通信画像等の画像とを選択的に表示可能にしたものである。
【００１０】
前記本体部は前記左手指用表示部群及び前記右手指用表示部群を構成するタッチパネルを備えてもよい。第１本体部と、該第１本体部にヒンジにより開閉自在に枢着された第２本体部とを備え、前記第１本体部の裏側に前記左手指用表示部群及び前記右手指用表示部群を備え、開状態の前記第２本体部の表側に前記表示パネルを備えたものであってもよい。親指で操作可能な操作部を前記第１本体部の表側に備えたものでもよい。
【発明の効果】
【００１２】
本発明では、裏側の操作部の操作を表側から容易且つ確実に把握でき、しかも熟れない操作者でも容易に操作しながら練習できる利点がある。
【図面の簡単な説明】
【００１３】
【図１】本発明の第１の実施形態を示す携帯型キーボードの正面図である。
【図２】同背面図である。
【図３】同使用状態の斜視図である。
【図４】同要部の断面図である。
【図５】同要部の分解斜視図である。
【図６】本発明の第２の実施形態を示す携帯型キーボードの断面図である。
【図７】本発明の第３の実施形態を示す携帯型キーボードの要部の断面図である。
【図８】同要部の一部破断正面図である。
【図９】同要部の分解斜視図である。
【図１０】本発明の第４の実施形態を示す携帯型キーボードの断面図である。
【図１１】本発明の第５の実施形態を示す携帯型キーボードの断面図である。
【図１２】本発明の第６の実施形態を示す携帯型キーボードの断面図である。
【図１３】本発明の第７の実施形態を示す携帯型キーボードの平面図である。
【図１４】同ブロック図である。
【図１５】本発明の第８の実施形態を示す携帯型キーボードの正面図である。
【図１６】同背面図である。
【図１７】本発明の第９の実施形態を示す携帯電子端末の斜視図である。
【図１８】同側面図である。
【発明を実施するための形態】
【００１４】
以下、本発明の各実施形態を図面に基づいて詳述する。図１〜図５は本発明を携帯型キーボードに採用した第１の実施形態を例示する。この携帯型キーボードは入力情報を無線又は有線により携帯情報端末、その他の電子情報端末へと送信するためのものであって、図１、図２に示すように、偏平矩形状に形成された本体部１と、この本体部１の裏側に左右に配置された左手指用操作部群２及び右手指用操作部群３と、本体部１の表側に左右に配置された左手指用表示部群４及び右手指用表示部群５とを備えている。
【００１５】
本体部１は、図３に示すように左右両側から掌で挟んで保持可能な大きさであり、この本体部１の裏側が操作面６となり、表側が表示面７となっている。本体部１の操作面６には左手指用操作部群２と右手指用操作部群３とが設けられ、また本体部１の表示面７には左手指用操作部群２と右手指用操作部群３とに対応する左手指用表示部群４と右手指用表示部群５とが設けられている。
【００１６】
左手指用操作部群２、右手指用操作部群３は間に所定の間隔をおいて左右両側に配置されており、その各操作部群２，３には、上下方向及び左右方向に所定の間隔を置いて近接する多数（複数個）の操作部８が配列されている。各操作部群２，３の操作部８は、左右の掌を本体部１の左右両側面に当てて保持した状態で、人指し指から小指までの４本の手指を動かして操作可能な範囲に配置されている。
【００１７】
なお、各操作部群２，３の操作部８は、例えば本体部１の左右方向の中央側の上下方向の５個がテンキーであり、それ以外がＱＷＥＲＴＹ配列のキーとなっている。各操作部群２，３は、左右両端側の操作部８の操作時に手指を動かし易くなるように、本体部１の左右両端縁から若干離して設けることが望ましい。
【００１８】
左手指用表示部群４、右手指用表示部群５の表示部９は、各操作部群２，３の操作部８と表裏に相対応する位置に配置されており、その位置で本体部１の裏側の対応する操作部８の配置位置を示すと共に、操作部８を手指で操作したときに、その操作された操作部８を示すようになっている。
【００１９】
なお、操作部８、表示部９には、例えばそれらがＺ用の場合に「Ｚ」の英文字を付す等、それらに割り付けられた入力データを示す表示が付されている。
【００２０】
本体部１、操作部８及び表示部９は、図４、図５に示すように構成されている。本体部１は二つ割り可能な表ケース体１１と裏ケース体１２とを表裏に結合して構成され、その両ケース体１１，１２間に各操作部８が組み込まれ、また各操作部８に対応してその略中央に表示部９が設けられている。
【００２１】
表ケース体１１の表側には光透過性を有する表シート１３が、裏ケース体１２の裏側には光透過性と可撓性又は弾性とを有する裏シート１４が夫々装着されている。表シート１３は少なくとも各表示部群４，５に対応する範囲に、裏シート１４は少なくとも各操作部群２，３に対応する範囲にあればよい。
【００２２】
各操作部８は２枚の電極シート１５，１６に蒸着その他により形成され且つ対向して配置された一対の電極１７，１８と、電極シート１５，１６間に介在され且つ一対の電極１７，１８間の間隔を確保する絶縁シート１９と、電極１７，１８に対応して裏ケース体１２に装着された操作体２０とを備え、操作体２０を裏側から押圧操作したときに一対の電極１７，１８が接触して電気的に導通するようになっている。
【００２３】
２枚の電極シート１５，１６は操作部群２，３の略全体に跨がる大きさの透明シートにより構成され、また少なくとも操作体２０に対応する電極シート１６は弾性を有する。各電極シート１５，１６には電極１７，１８と、この電極１７，１８を外部回路に接続する接続線が印刷等により設けられている。電極１７，１８は不透明な金属膜からなり、表示部９に対応する領域を除いてリング状又は円弧状に形成されている。
【００２４】
絶縁シート１９には保形性を有する薄板等からなり、操作体２０を操作したときに電極１７，１８同士が接触するように、電極１７，１８を含む所定範囲に対応して通孔２３が形成されている。操作体２０は裏側へと突出して裏ケース体１２の開口２１に嵌合されると共に、電極シート１６の弾性力により裏側へと付勢されており、電極シート１６の弾性力に抗して裏側から押圧操作するようになっている。裏シート１４には、操作体２０に沿って操作用突部２２が設けられている。
【００２５】
なお、電極シート１５，１６は両操作部群２，３に跨がって一体に設けてもよいし、各操作部群２，３毎に別々に設けてもよい。また電極１７，１８が光透過性を有する蒸着膜等の場合には、電極１７，１８は各操作部８で交差するように縦横のマトリクス状に設けてもよい。電極シート１５，１６、絶縁シート１９は、外周部及び中間部の適当位置で表ケース体１１と裏ケース体１２とにより両側から挟持されている。
【００２６】
各表示部９は操作部８の略中央を経て本体部１の表裏方向に透視可能に設けられた透視窓２４を有し、本体部１の裏側の操作体２０を手指で操作したときに、その手指による操作を本体部１の表側から目視により確認できるようになっている。透視窓２４は表ケース体１１に形成された透視孔２５と、操作体２０に形成された透視孔２６と、透明な電極シート１５，１６、表シート１３及び裏シート１４を経て透視するようになっている。
【００２７】
なお、電極シート１５，１６に各透視窓２４に対応して開口を形成する場合には、電極シート１５，１６は光透過性のないシートを使用してもよい。表シート１３、裏シート１４の内面には、各透視窓２４を除く領域に不透明なインク、金属メッキ等の遮蔽膜が形成されている。
【００２８】
本体部１の表側には、その左手指用表示部群４、右手指用表示部群５の下側に左親指用操作部群２Ａ、右親指用操作部群３Ａが設けられており、その操作部群２Ａ，３Ａにシフトキー、その他の所定の操作部８Ａが複数個配置されている。また本体部１の上面側は前下りの傾斜面１Ａとなっており、その傾斜面１Ａにはファンクションキー等の左手指用、右手指用の操作部８Ｂが左右方向に一列状に配置されている。更に本体部１の左右両側面にはタブキー、エンターキー等の操作部８Ｃが配置されている。なお、本体部１の表側にカーソルキー等その他の操作部を設けてもよい。
【００２９】
この携帯型キーボードでは、図３に示すように、左右の両手の掌を本体部１の両側に当てた状態で本体部１を保持し、左右の手指、特に人指し指から小指の４本の指を動かしながら、その手指により本体部１の裏側の左手指用操作部群２、右手指用操作部群３の各操作部８を押圧操作して順次データを入力する。なお、各操作部８の操作により入力された入力データは無線又は有線を介して電子端末に送信されて行く。
【００３０】
このようにすれば、左右両手の４本の手指を使いながら入力できるので、入力速度の高速化を図ることができる。各操作部８の操作に際しては、手指により裏シート１４の操作用突部２２を介して操作体２０を裏側から押圧すると、この操作体２０の移動により電極シート１６が弾性変形して一対の電極１７，１８が接触し、その操作部８に割り付けられたデータが入力される。
【００３１】
一方、各操作部８の操作に際して手指が操作用突部２２を押圧するまでは、透視窓２４の裏側が塞がれていないので、本体部１の表側から見れば透視窓２４を経て裏側の光を透視できる。そして、操作部８に手指が接近して透視窓２４の透視領域に入れば、透視窓２４を経て手指の接近を視認できる。続いて手指が操作用突部２２に接触して操作体２０を押圧操作すると、透視窓２４の透視領域が塞がれるため、裏面側からの光が遮光されて透視窓２４内が暗くなる。
【００３２】
従って、表示部９は透視窓２４を経て手指の接近及び／又は透視窓２４内の暗転により、それに対応する操作部８が操作されたことを表示することができる。なお、表示部９は透視窓２４が暗転する大きさであれば十分であり、必ずしも操作部８に接近する手指を透視できる大きさである必要はない。
【００３３】
このように構成することによって、本体部１の裏面側にある操作対象の操作部８の位置を表側の表示部９の位置で把握できるだけでなく、その表示部９の暗転等の表示により、目的とする操作対象の操作部８が操作された事実を容易且つ確実に把握することができる。そのため習熟度の低い操作者でも、目的とする操作部８を容易に操作でき、ブラインドタッチ等の練習を容易に行うことができる。
【００３４】
また表示部９は操作部８の略中央に設けられた透視窓２４を経て表側から裏側を透視可能になっているため、その表示によって裏側で操作された操作部８を容易に特定することができる。更に表示部９は各操作部８毎にその略中央に透視窓２４を設けるだけでよいので、構造的にも簡単であり、容易且つ安価に製作することができる利点がある。
【００３５】
しかも、表ケース体１１、操作体２０に透視孔２５，２６を形成して表示部９を構成しているが、表側は表シート１３により、裏側は裏シート１４により夫々塞いでいるため、その透視孔２５，２６から内部にゴミその他のものが侵入する等の惧れもない。なお、透視窓２４は本体部１の表裏両側に貫通する貫通孔により構成してもよい。
【００３６】
図６は本発明の第２の実施形態を例示する。この実施形態では、表ケース体１１は透明な合成樹脂材により構成され、表示部９を除く領域に金属メッキ等の遮蔽膜２８が形成されている。裏ケース体１２にも金属メッキ等の遮蔽膜２９が形成されている。なお、遮蔽膜２８，２９は各ケース体１１，１２の表面又は裏面の何れに設けてもよい。また裏ケース体１２の開口２１に嵌合する操作体２０は、透明な合成樹脂材料により構成されており、この操作体２０の表示部９に対応する部分にレンズ３０が設けられている。他の構成は第１の実施形態と同様である。
【００３７】
このように表ケース体１１、操作体２０に透明な合成樹脂材を使用することにより、第１の実施形態のように表ケース体１１、操作体２０に透視孔２５，２６を設ける必要がないので、表シート１３、裏シート１４を省略することができるか、また表ケース体１１、操作体２０に透視孔２５，２６を設ける必要がないため、表示部９の表示領域を大きく採ることも可能であり、しかも操作体２０にレンズ３０を設けることにより、手指が操作体２０に接触する直前にそれを拡大して把握することも可能である。なお、レンズ３０は省略してもよい。
【００３８】
図７〜図９は本発明の第３の実施形態を例示する。この実施形態では、操作部８の中心部を除く周辺部分、例えば操作部８の外周近傍に周方向に複数個の透視窓２４が設けられ、この複数個の透視窓２４により、その操作部８に対応する表示部９が構成されている。なお、透視窓２４はＣ字状に構成する等により、周方向に１個設けてもよい。
【００３９】
操作部８は電極シート１５，１６にマトリクス状に設けられた透明な一対の電極１７，１８を有し、その電極シート１５，１６間に絶縁シート１９が介在されている。裏シート１４は弾性を有し、裏シート１４には裏ケース体１２の開口２１内に配置された操作突起３３が装着されている。
【００４０】
表ケース体１１には、一対の電極１７，１８に対応する部分で電極シート１５を受ける受け部３４と、この受け部３４の外周に形成された複数個の透視孔２５とが設けられている。そして、表ケース体１１の透視窓２４、透明な電極シート１５，１６及び裏シート１４、裏ケース体１２の開口２１等により、操作部８の外周近傍の表示部９が構成されている。他の構成は第１の実施形態と同様である。
【００４１】
操作部８を操作する際には、裏シート１４の操作部８に対応する部分を押圧する。すると操作突起３３を介して電極シート１６が押圧されて一対の電極１７，１８同士が接触する。従って、第１の実施形態と同様に使用することができる。また表示部９は操作部８の外周近傍に複数個の透視窓２４があるため、その透視窓２４全体の透視領域を広くできる。そのため例えば透視窓２４の一部領域が手指により塞がれても他の領域から光が入るので、透視窓２４内の暗転で操作部８の操作を把握する他、操作部８に接近する手指、又は操作部８を押圧した状態にある手指を直接視認して把握することもできる。
【００４２】
図１０は本発明の第４の実施形態を例示する。この実施形態では裏ケース体１２内に、操作突起３３を有する透明な弾性シート３６が設けられ、裏ケース体１２の開口２１に透明な操作体２０が嵌合されている。他の構成は第２の実施形態と略同様である。
【００４３】
この場合には、操作体２０を押圧すると、弾性シート３６の操作突起３３を介して電極シート１６が押圧され一対の電極１７，１８が導通する。このような構成の操作部８の場合でも、表ケース体１１、操作体２０、弾性シート３６、電極シート１５，１６等により表示部９を構成することができる。
【００４４】
図１１は本発明の第５の実施形態を例示する。この実施形態では、操作部８の操作体２０は裏ケース体１２の開口２１に嵌合され、また一対の電極１７，１８は表ケース体１１と操作体２０とに対向して設けられている。操作体２０は表ケース体１１との間に介在されたバネ３７により、電極１７，１８の離間方向に付勢されている。表示部９は透視窓式であって、表ケース体１１に設けられた透視孔２５と、操作体２０に設けられた透視孔２６と、透明な表シート１３及び裏シート１４とにより構成されている。他の構成は各実施形態と同様である。
【００４５】
このように表ケース体１１と裏ケース体１２との間に操作部８を設け、その操作部８の略中央に透視窓式の表示部９を設けてもよい。
【００４６】
図１２は本発明の第６の実施形態を例示する。この実施形態では、表ケース体１１と裏ケース体１２との間にプリント基板３８が介在され、このプリント基板３８の裏面側に、裏ケース体１２の開口２１から裏側に突出し且つ裏シート１４を介して押圧操作可能なスイッチ３９が装着され、前面側にＬＥＤ等の発光手段４０が装着されている。そして、スイッチ３９により操作部８が構成され、発光手段４０と表シート１３とにより表示部９が構成されている。
【００４７】
なお、本体部１の適当箇所に、電源スイッチの他、表示部９で操作部８の操作の有無を表示するか否かを選択する選択スイッチ（図示省略）が設けられており、この選択スイッチにより表示、非表示の何れかを選択できるようになっている。発光手段４０が指向性の強いＬＥＤ等の場合には、表シート１３の裏側に発光手段４０からの光を拡散する拡散板を設けてもよい。
【００４８】
この場合には、本体部１の裏面側の操作部８を操作すると、そのスイッチ３９がオンして、表示部９を構成する発光手段４０が発光するため、発光手段４０の発光によって操作部８の操作を表示することが可能できる。従って、表示部９は第１〜第５の実施形態に例示するような透視式である必要はない。
【００４９】
図１３、図１４は本発明の第７の実施形態を例示する。この実施形態では、図１３に示すように、本体部１の裏側には左手指用操作部群２、右手指用操作部群３を構成するタッチパネル４２が設けられ、また本体部１の表側には左右の各表示部群４，５を構成する液晶式その他の表示パネル４３が設けられている。タッチパネル４２には縦横に所定の間隔を置いて多数の操作部８が設けられている。表示パネル４３には各操作部８に対応する表示部９が設けられている。なお、タッチパネル４２、表示パネル４３は左右で別々に設けてもよい。
【００５０】
タッチパネル４２の各操作部群２，３の操作部８のタッチスイッチは、図１４に示すように入力部４５に接続されると共に、変換部４６を介して表示パネル４３の各表示部群４，５の表示部９に接続されており、タッチパネル４２の何れかの操作部８を操作したときに、その操作部８に対応する表示パネル４３の表示部９が発光して表示するようになっている。表示パネル４３は選択スイッチ４７により表示、非表示を選択可能である。
【００５１】
このように本体部１の裏側の操作部群にタッチパネル４２を、表側の表示部群４，５に液晶パネル等の表示パネル４３を夫々用いてもよい。
【００５２】
図１５、図１６は本発明の第８の実施形態を例示する。この実施形態では、本体部１の裏側には、図１６に示すように、左手指用操作部群２、右手指用操作部群３に分けて各操作部８が設けられ、その各操作部８は０〜９の表示、ＱＷＥＲＴＹの表示からも判るように縦列に配置されている。
【００５３】
本体部１の表側には、図１５に示すように、その上部側に左手指用表示部群４、右手指用表示部群５が左右に連続して配置されている。各表示部群４，５は液晶パネル等の表示パネル４３により構成され、各操作部８に対応する各表示部９は左右方向に配列されている。なお、本体部１の表側の下部側にはカーソル用その他の操作部を設けてもよい。
【００５４】
この場合には、左手指用操作部群２、右手指用操作部群３の各操作部８が縦列であるのに対して、左手指用表示部群４、右手指用表示部群５の各表示部９が横列となっており、操作部８と表示部９は位置的には対応していない。
【００５５】
しかし、操作部８を操作すれば、その操作部８に対応する表示部９が発光等により操作を表示するため、操作した操作部８が何であるかを把握することができる。従って、操作部８と表示部９は必ずしも位置的に対応させる必要はない。
【００５６】
なお、この実施形態では、左手指用表示部群４と右手指用表示部群５とを表示パネル４３に左右方向に連続状に設けているが、左手指用操作部群２と右手指用操作部群３とに対応して左手指用表示部群４と右手指用表示部群５とを左右に分離して設けてもよい。
【００５７】
図１７、図１８は本発明の第９の実施形態を例示する。この実施形態は、携帯電子端末の入力部に採用したものである。携帯電子端末は第１本体部１Ｂとこの第１本体部１Ｂにヒンジ４９により開閉自在に枢着された第２本体部１Ｃとを有する。第１本体部１Ｂの裏側に各実施形態と同様に左手指用操作部群２と右手指用操作部群３とが設けられ、また表側には親指で操作可能な操作部群２Ａ，３Ａが左右に設けられている。
【００５８】
第２本体部１には開状態のときの表側に液晶等の表示パネル４３が設けられており、この表示パネル４３は、選択スイッチ４７等の操作による選択に従って、各操作部群２，３の各操作部８に対応する表示部９を有する表示部群４，５と、その他の通信画像等の各種画像とを選択的に表示するようになっている。
【００５９】
このように第１本体部１Ｂと第２本体部１Ｃとを開閉可能に備えた携帯電子端末においても、その入力用として採用することが可能である。従って、キーボード自体である必要はなく、携帯電子端末、携帯電話その他のものを採用することもできる。また多数の操作部８Ａ，８Ｂを有する操作部群と、その各操作部８に対応する多数の表示部群４，５とを本体部１の表裏に設けるに当たって、その本体部１は共通のものである必要はない。
【００６０】
以上、本発明の各実施形態について詳述したが、本発明はこの各実施形態に限定されるものではなく、本発明の趣旨を逸脱しない範囲で種々の変更が可能である。例えば、各操作部群２，３の操作部８の配列は、ＱＷＥＲＴＺ配列等、ＱＷＥＲＴＹ配列以外のものでもよい。また操作部８は、それに対応する電子信号を出力できるものであればよく、特定のスイッチの構造、形式に限定されるものではない。
【００６１】
更に表示部群４，５の表示部９は透過式の他、発光式その他のものを採用してもよい。例えば、表示部９に可動部をを設けて、本体部１の裏側から操作部８を操作したときに、対応する表示部９の可動部が動いて操作の事実を表示するようにしてもよい。
【００６２】
また実施形態では、本体部１を両手で保持して左右の手指により操作部８を操作する場合を例示しているが、本体部１を両手で保持して左右何れか一方の手指により操作部８を操作するようにしてもよいし、本体部１を片手で保持して、操作部８を片手の手指により操作するものでもよい。例えば片手式の場合には本体部１に保持孔を設けて、その保持孔に通した親指と掌等で本体部１を保持しておき、その手の手指により操作部８を操作するようにしてもよい。
【符号の説明】
【００６３】
１  本体部
２  左手指用操作部群
３  右手指用操作部群
４  左手指用表示部群
５  右手指用表示部群
８  操作部
９  表示部
１５，１６  電極シート
１７，１８  電極
２０  操作体
２４  透視窓
２５，２６  透視孔
３９  スイッチ
４０  発光手段
４２  タッチパネル
４３  表示パネル
【図１】
0005963468.tif 000002
【図２】
0005963468.tif 000003
【図３】
0005963468.tif 000004
【図４】
0005963468.tif 000005
【図５】
0005963468.tif 000006
【図６】
0005963468.tif 000007
【図７】
0005963468.tif 000008
【図８】
0005963468.tif 000009
【図９】
0005963468.tif 000010
【図１０】
0005963468.tif 000011
【図１１】
0005963468.tif 000012
【図１２】
0005963468.tif 000013
【図１３】
0005963468.tif 000014
【図１４】
0005963468.tif 000015
【図１５】
0005963468.tif 000016
【図１６】
0005963468.tif 000017
【図１７】
0005963468.tif 000018
【図１８】
0005963468.tif 000019